(57)【特許請求の範囲】
【請求項１】
導電体（４００）を挿入するための、上から接近できる細長い開口部（１２０）を備えた絶縁ハウジング（１１０）と少なくとも１つの圧接端子（２１０、２２０）とを有する、導電体（４００）との接触のための端子（１００）であって、前記圧接端子（２１０、２２０）が、ハウジング（１１０）の側方に配置されていて、側方から、かつ細長い開口部（１２０）に対して実質的に垂直に移動可能であり、かつカットして締め付けることにより導電体（４００）と接触し、かつハウジング（１１０）内に固定する端子（１００）であり、前記圧接端子（２１０、２２０）が少なくとも２つ設けられており、前記圧接端子が前記導電体の方向に見て細長い開口部（１２０）の前方と後方の端部にそれぞれ位置決めされており、かつ２つの圧接端子（２１０、２２０）がＵ字状のブラケット（２００）に配置されており、かつ一緒になって圧接端子接点を形成するために前記開口部に対して横方向に導電体（４００）の方向へ移動可能である、端子（１００）において、
Ｕ字状のブラケット（２００）が接続要素（３００）と結合されており、前記接続要素が回路基板（５００、６００）の導体路と接触するための接触要素（３０１、３０２、３０３、３０４、３０６、３０７、３０８、３０９）を有しており、
前記接続要素（３００）が、Ｕ字状のブラケットから実質的に直角に屈曲された接続板であって、前記接続板の下方の、Ｕ字状のブラケット（２００）とは逆の側に、接触要素（３０１、３０２、３０３、３０４；３０６、３０７、３０８、３０９）が配置されていることを特徴とする導電体との接触のための端子（１００）。
【請求項２】
Ｕ字状のブラケット（２００）と接続要素（３００）が、一体的に互いに結合されていることを特徴とする請求項１に記載の端子（１１０）。
【請求項３】
前記接触要素が、圧入接触要素（３０１、３０２、３０３．３０４）であることを特徴とする請求項１又は２に記載の端子（１００）。
【請求項４】
前記接触要素が、表面半田付け用に形成された半田接触要素（３０６、３０７、３０８、３０９）であることを特徴とする請求項１又は２に記載の端子（１００）。
【請求項５】
圧接端子接点（２１０、２２）を備えたＵ字状のブラケット（２００）と接続要素（３００）のために、ハウジング（１１０）内にガイド（１５０、１６０）が設けられており、前記ガイド（１５０、１６０）が圧接端子接点（２１０、２２０）と接続要素（３００）とを有するＵ字状のブラケット（２００）を前記ハウジング内へ挿入することを可能にすることを特徴とする請求項１から４のいずれか一項に記載の端子（１００）。
【請求項６】
上から接近できる開口部（１２０）が開放方向に、挿入された導電体（４００）を堅固に挟持するためのテーパ（１２２）を有していることを特徴とする請求項１に記載の端子（１００）。
【請求項７】
ハウジング（１１０）がプラスチックからなることを特徴とする請求項１から６のいずれか一項に記載の端子（１００）。
【発明の詳細な説明】
【技術分野】
【０００１】
本発明は、導電体との接触のための端子に関する。
【背景技術】
【０００２】
導電体又は他の電気的な構成部品に接触するための端子は、従来技術から広く知られている。すなわち、たとえば独国実用新案公開第２０２００４０２０１９１号明細書は、圧接端子による巻き線部材、たとえばトランスのコイルと導体プレートとの間の差し込み接触を開示している。好ましくはクランプ舌片を有する圧接端子は、回路基板上に電気的及び機械的に固定された差し込みブリッジ内へ挿入され、それによってクランプ舌片の弾性的な反りにより、かつクランプ舌片が差し込みブリッジ内へ機械的に切り込むことによって、確実な電気的接続が生じる。
【０００３】
独国特許出願公開第１０２０１０００３５４５号明細書からは、導電体をハウジング及びそれぞれの圧接端子と接触させる装置が明らかになる。圧接端子は、ハウジング内へ挿入される。
【０００４】
欧州特許出願公開第１２９１９８４号明細書からは、電気的な圧接端子接続を形成する方法が明らかになる。
【０００５】
その場合に個々のケーブルがＩＤＣコネクタ（IDC = insulation displacement connection）内へ上から挿入されて、垂直方向上から下へ圧力を及ぼす工具と接触する。その場合に接点とケーブルの電気的な接続は、ケーブルを上から下へ向かって圧接端子内へ圧入することによって形成される。その場合にケーブルの絶縁材料が圧接端子の刃又は側面によって傷つけられて、剥がされ、露出した銅リッツ線がこの側面のばね作用によって永続的に挟持される。
【０００６】
これらすべての圧接端子接続において、ケーブルはそれぞれ上から下へ向かって該当する開口部内へ挿入され、そしてまた上から下へ圧接端子技術によって接合力をもたらすことにより接触されて固定される。
【０００７】
その場合に力は上から下へ向かって加えられる。その内部でケーブルを接触させなければならない、ハウジング、プラグ及び同種のものは回路基板上に固定されることが極めて多いので力が回路基板上へ加わり、それは多くの場合に望ましくないことである。さらに、圧接接触は、ケーブルの挿入と同じ方向に行われるので、少なくとも大きな引っ張り力がケーブルに加わった場合に、ケーブルが圧接端子接続から離れることがあり、それによって電気的な接触が中断される危険がある。
【先行技術文献】
【特許文献】
【０００８】
【特許文献１】独国実用新案公開第２０２００４０２０１９１号明細書
【特許文献２】独国特許出願公開第１０２０１０００３５４５号明細書
【特許文献３】欧州特許出願公開第１２９１９８４号明細書
【発明の概要】
【０００９】
それに対して、請求項１の特徴を有する、本発明に係る導電体との接触のための端子は、電気ケーブルが上からハウジング内へ挿入可能であって、そのために導電体を挿入するための細長い開口部が設けられているが、圧接端子接触が側方から、かつ細長い開口部及び挿入方向に対して実質的に垂直に行われる、という利点を有している。このようにして、圧接端子接触をする場合に、たとえば、端子が取り付けられている回路基板上に圧力がかからない。圧接端子接触は、ペンチのような工具によって行うことができる。これは、たとえば製造ライン内の自動操作機によって自動的に行うこともできるので、本発明に係る端子は、自動的な製造に良好になじむ。さらに、開口部に対して横方向に延びる圧接端子接触によって、導電体の確実な保持が可能になる。特に、導電体はもはや、比較的大きい力が加わっても、従来技術から知られた電気的な圧接端子接続においてはあり得るように、細長い開口部から引き出されることはない。したがって本発明に係る端子は、簡単かつ自動的な製造だけでなく、圧接端子接触によって固定された導体の確実かつほぼ破壊のない固定も可能にする。
【００１０】
従属請求項に記載されている特徴によって、独立請求項１に記載される端子の好ましい展開と改良が可能である。
【００１１】
すなわち、好ましい形態においては、少なくとも２つの圧接端子が設けられており、それらはそれぞれ導体方向に見て、細長い開口部の前方の端部と後方の端部に位置決めされている。それによって接触が改良されるだけでなく、同時に導電体も細長い開口部内に特に良好に固定され、それに伴って保持される。
【００１２】
その場合に２つの圧接端子は、好ましくはＵ字状のブラケットに配置されており、かつそれと一緒に圧接端子接点を形成するために、開口部に対して横に導電体の方向へ移動可能である。このようにして、唯一の「ペンチの運動」によって細長い開口部内と、それに伴って端子のハウジング内で導電体の接触と固定が可能になる。
【００１３】
Ｕ字状のブラケットは、好ましくは接続要素と結合されており、その接続要素はその、Ｕ字状のブラケットとは逆の側に、導電体の導体路と接触するための接触要素を有している。このようにして回路基板の該当する導体路と導電体の直接的な接触が可能である。
【００１４】
特に、Ｕ字状のブラケットと接続要素が互いに一体的に結合されていると、効果的である。
【００１５】
接触要素は、圧入接点とすることができるが、表面半田付け用に形成された半田接触要素として形成することもできる。
【００１６】
好ましい形態においては、接続要素は、Ｕ字状のブラケットから実質的に直角に屈曲された接続板であって、その下方の、Ｕ字状のブラケットとは逆の側に接触要素が配置されている。これが、簡単な取り付けと特に良好な接触を可能にする。
【００１７】
好ましくは、圧接端子接点を有するＵ字状のブラケットと接続要素のために、ハウジング内にガイドが設けられており、そのガイドは、Ｕ字状のブラケットを圧接端子接点及び接続要素と共にハウジング内へ挿入することを可能にする。この場合において、接触要素がたとえば回路基板上に固定されている場合には、逆にハウジングがＵ字状のブラケットに対して摺動し、その場合にここでも圧接端子接点が導体内へ進入して、その場合に導体の絶縁材料が圧接端子の刃又は側面によって傷つけられて剥がされ、露出した銅リッツ線がこれらの側面のばね作用によって永続的に挟持される。
【００１８】
特に好ましくは、細長い開口部が開放方向にテーパを有しており、それが、挿入すべき導電体をしっかり挟むために用いられる。このようにして導体は、圧接端子接触が行われる前にすでに、細長い開口部内にしっかりと保持される。圧接端子接触の間も、このテーパが特に好ましいことが明らかにされている。
【００１９】
ハウジングは、好ましくはプラスチックからなる。
【００２０】
本発明の実施例を図面に示し、以下の記述において詳細に説明する。
【図面の簡単な説明】
【００２１】
【図１】本発明に係る端子を示す斜視図である。
【図２】図１に示す端子を導電体が挿入されて接触させられる前において示す側面図である。
【図３】図２に示す端子を導電体が挿入されて接触された後において示す側面図である。
【図４】本発明に係る端子の他の実施形態を示す斜視図である。
【図５ａ】本発明に係る端子の回路基板上への固定と、その次の端子内での導電体の接触を示す種々の取り付けステップを示す斜視図である。
【図５ｂ】本発明に係る端子の回路基板上への固定と、その次の端子内での導電体の接触を示す種々の取り付けステップを示す斜視図である。
【図５ｃ】本発明に係る端子の回路基板上への固定と、その次の端子内での導電体の接触を示す種々の取り付けステップを示す斜視図である。
【図５ｄ】本発明に係る端子の回路基板上への固定と、その次の端子内での導電体の接触を示す種々の取り付けステップを示す斜視図である。
【図６】本発明に係る端子によって回路基板上に固定されて、接触された導体を用いて２つの回路基板を接続することを示す斜視図である。
【発明を実施するための形態】
【００２２】
全体を符号１００で示す端子は、ハウジング１１０を有しており、そのハウジングはたとえばプラスチックからなる。このハウジング内に、上から接近できる細長い開口部１２０が設けられており、その開口部はテーパ１２２を有している。ハウジングの側方に、Ｕ字形状のブラケット２００が配置されており、そのブラケットにそれぞれ圧接端子２１０と２２０が配置されている。接続要素３００が、Ｕ字状のブラケット２００と一体的に結合されている。この接続要素３００は、たとえば圧入接点３０１、３０２、３０３及び３０４を有している。これらの圧入接点は、たとえば回路基板上の該当する開口部内への圧入のために用いられる（図５ａからｃ、図６を参照）。図１からさらに明らかなように、ハウジング１１０内にＵ字状のブラケット２００と圧接端子２１０、２２０を案内するガイド１５０と１６０が設けられており、それらは、図に矢印Ｒで示す方向に沿ってハウジング内へ圧接端子接点を側方に挿入することを可能にする。特に図２から明らかなように、圧接端子接点２２０は、切断側面２２１を備えたフォークの形状を有しており、その切断側面が導体４００の絶縁材料４０５を傷つけて剥がし、露出した銅リッツ線４１０も同様に部分的に傷つけるか又は圧接端子２２０の２つの刃のばね力に基づいて挟持する。これが、図３に図式的に示されており、この図は、端子１００内の導電体の接触され且つ固定された状態を示している。図３においては、さらに、どのようにして突出部１２２が導電体を圧接端子接触のために好ましい位置に保持し、かつ特に細長い開口部１２０から抜け落ちないように保護しているかということが、特に良好に認識される。このように導電体が接触されて固定され、それはたとえば適切なペンチによって行うことができ、そのペンチはＵ字状の部材２００とハウジング１１０に力を加え、かつこのようにして圧接端子２１０、２２０を挿入しながら、同時にハウジング内で導電体を接触させ、かつ固定する。
【００２３】
図４には、本発明に係る端子の他の実施形態が示されており、それは、図１から３に示す実施形態から、回路基板上の接触のやり方によって区別される。圧入接触の代わりに、ここでは半田を収容するための然るべき開口部３０６、３０７、３０８、３０９が設けられており、それを用いて接続要素３００を表面半田付けによって回路基板上に固定することができる。その他においては、図１から３におけるのと同じ部材は、図４において同一の参照符号で示されているので、これらの部材の説明は、上を参照することができる。
【００２４】
回路基板上に端子を固定すること及び導体の接触と固定を以下で図５ａ−ｄ及び図６と組み合わせて説明する。
【００２５】
まず、端子１００が回路基板６００上に固定される。そのために、回路基板６００に開口部６０１、６０２、６０３、６０４が設けられており、それらの開口部が圧入接点３０１、３０２、３０３、３０４の圧入を可能にする（図５ａを参照）。このようにして端子１００が回路基板６００上に固定された後に（図５ｂ）、導電体４００が端子の細長い開口部１２内へ挿入されて、そこでテーパ１２２に基づいて保持される（図５ｃを参照）。その後、（図示されない）ペンチのような工具によって、圧接端子２１０、２２０が側方へ挿入されることにより圧接端子接触が形成される。ペンチの運動によって、Ｕ字状のブラケット２００及びそれと対向するハウジング１１０のハウジング側１１１へ力が加わる。このようにして、導体４００が端子１００内で接触され、かつ固定される。図６は、２つの回路基板６００と７００の接続を示しており、それら回路基板上にそれぞれ端子が配置されており、その場合に回路基板６００上に配置されている端子は、圧入接点を有する端子であって、回路基板７００上に配置されている端子は、ＳＭＤ半田接点を有する端子である。導体４００が、２つの回路基板６００と７００を接続することができる。
【００２６】
上述した端子１００の利点は、自動的な製造にもなじむことである。その場合に接触させるための圧力は、回路基板６００、７００には加わらず、ペンチの様態でハウジング１１０及びＵ字状のブラケット２００に加わる。この側方の圧力行使は、自動的な製造にさらによくなじむという大きな利点を有している。さらに回路基板の損傷が排除されている。側方の接触が、さらに、端子１００のハウジング１１０内に導体４００をずっと確実に保持することを可能にする。細長い開口部１２０の前方の端部と後方の端部に配置されている２つの圧接端子が開口部に対して横方向に延びており、かつそれによって導体４００を実際に外れることがないように端子１００内に保持することによって、導体４００は、端子１００内にある意味で「ロック」されている。
【図１】
0006466931.tif 000002
【図２】
0006466931.tif 000003
【図３】
0006466931.tif 000004
【図４】
0006466931.tif 000005
【図５ａ】
0006466931.tif 000006
【図５ｂ】
0006466931.tif 000007
【図５ｃ】
0006466931.tif 000008
【図５ｄ】
0006466931.tif 000009
【図６】
0006466931.tif 000010